(57)【要約】 【課題】掛けたふきん等がずれたり、すれ落ちたりし難く、且つ、誤って、ハンガーアームの先端を顔等に突き当てた場合の怪我に対する配慮したふきん掛けを提供する。【解決手段】ふきん等を掛ける複数のハンガーアーム１と、これらハンガーアーム１の基部３を回動自在に支持する本体部４とを備える。ハンガーアーム１の先端に弾性素材で成るキャップ５が装着されている。キャップ５の表面は、ふきん等に対して滑り落ちを防ぎ得る摩擦抵抗を有する。【選択図】図１
2007151800.tif 000002
【特許請求の範囲】
【請求項１】
ふきん等を掛ける複数のハンガーアームと、これらハンガーアームの基部を回動自在に支持する本体部とを備えるふきん掛けにおいて、
前記ハンガーアームの先端に弾性素材で成るキャップが装着されており、且つ、当該キャップの表面は、前記ふきん等に対して滑り落ちを防ぎ得る摩擦抵抗を有することを特徴とするふきん掛け。
【請求項２】
前記キャップが装着される前記ハンガーアームの先端部分が斜め上向きに屈曲されていることを特徴とする請求項１に記載のふきん掛け。
【請求項３】
前記キャップは、エラストマーまたは天然ゴムから成ることを特徴とする請求項１または請求項２の何れかに記載のふきん掛け。
【請求項４】
前記ハンガーアームはＵ字形のバーで構成されており、且つ、前記キャップ内に、前記Ｕ字形バーの先端部分の内側と係合する係合突起が形成されていることを特徴とする請求項１から請求項３までの何れかに記載のふきん掛け。
【発明の詳細な説明】
【技術分野】
【０００１】
本発明は、ふきん等の布製台所用品を複数枚同時に掛けることができるハンガータイプのふきん掛けに関するものである。
【背景技術】
【０００２】
従来より、ふきん等を掛けるハンガーアームを複数本（通常３本程度）多段に連結して本体部に回動自在に軸支すると共に、この本体部を台所の壁面や吊り戸棚の下等に取り付けて使用するふきん掛けが知られている（特許文献１参照）。
【特許文献１】登録実用新案第３０２２３５８公報
【発明の開示】
【発明が解決しようとする課題】
【０００３】
ところで、このようなハンガータイプのふきん掛けでは、ハンガーアームは、専ら、摩擦抵抗の小さい丸棒状の金属バーや樹脂バーが用いられるため、バーに掛けたふきん等が滑り易くなっており、且つ、構造的に上下のハンガーバー同士が近接しているため、１本のハンガーバーを使用（回転）している時、他のハンガーバーが協動して各ハンガーアームに掛けたふきん等が触れ合うことにより、ずれたり落ちたりするという不都合があった。
加えて、ふきん掛けが壁面等に取り付けられている状態では、ハンガーアームの先端が常に水平方向を向くため、調理中等に誤ってハンガーバーの先端で顔や目などを突いて思わぬ怪我をするという虞もある。
【０００４】
本発明は、このようなふきん掛けの問題点に鑑み成されたもので、掛けたふきん等がずれたり落ちたりし難く、且つ、誤ってハンガーアームの先端に顔等を突き当てた場合の怪我に対する安全性を配慮したふきん掛けを提供することを目的としている。
【課題を解決するための手段】
【０００５】
すなわち、請求項１に記載の本発明は、ふきん等を掛ける複数のハンガーアームと、これらハンガーアームの基部を回動自在に支持する本体部とを備えるふきん掛けにおいて、前記ハンガーアームの先端に弾性素材で成るキャップが装着されており、且つ、当該キャップの表面は、前記ふきん等に対して滑り落ちを防ぎ得る摩擦抵抗を有することを特徴としている。
【０００６】
また、請求項２に記載の本発明は、請求項１に記載のふきん掛けにおいて、前記キャップが装着される前記ハンガーアームの先端部分が斜め上向きに屈曲されていることを特徴としている。
【０００７】
また、請求項３に記載の本発明は、請求項１または請求項２の何れかに記載のふきん掛けにおいて、前記キャップは、エラストマーまたは天然ゴムから成ることを特徴としたいる。
【０００８】
また、請求項４に記載の本発明は、請求項１から請求項３までの何れかに記載のふきん掛けにおいて、前記ハンガーアームがＵ字状のバーにて構成されており、且つ、前記キャップ内に、前記Ｕ字形バーの先端部分の内側と係合する係合突起が形成されていることを特徴としている。
【発明の効果】
【０００９】
請求項１〜請求項４に記載の発明によれば、ハンガーアームの先端に摩擦抵抗の大きい弾性素材で成るキャップを装着したので、掛けたふきん等がこのキャップに触れると、その際の摩擦抵抗により、ふきん等がハンガーアームよりずれたり落ちたりし難くなる。
またキャップの弾性が奏する緩衝作用により、誤って顔等にハンガーアームの先端を突き当てても怪我をする虞はない。
【００１０】
また、請求項２に記載の発明によれば、ハンガーアームの先端部分を斜め上向きに屈曲したので、ふきん等に対する滑り止め効果をより一層向上できると共に、ハンガーアームの先端が付き当った際の衝撃力が弱められ、怪我に対する安全性がより向上する。
【００１１】
また、請求項３に記載の発明によれば、エラストマーや天然ゴムは弾力性があり、軟質で、且つ摩擦抵抗も大きいことがら、ふきん等の滑り止め、および怪我に対する安全性確保に優れた効果を発揮する。
【００１２】
また、請求項４に記載の発明によれば、キャップ内に、Ｕ字形バーの先端部分の内側と係合する係合突起を設けたので、一旦、キャップをハンガーアームに装着すると抜け難くなる、よって、長期の使用にあってもキャップが不用意に抜け落ちることはなく、常に上記した滑り止め効果と安全性を維持・継続しておくことができる。
【発明を実施するための最良の形態】
【００１３】
以下、図面に基づいて本発明のふきん掛けの一実施形態を説明する。
【００１４】
図１に示すように、本実施形態のふきん掛けは、ふきん等の布製台所用品を掛ける複数本（本実施形態では、３本）のハンガーアーム１と、これらハンガーアーム１を回動自在に支持する合成樹脂製の本体部４とで構成されている。  
【００１５】
上記ハンガーアーム１は、Ｕ字状に折り曲げた金属製のバー２（ステンレス鋼線）と、この開放端を保持する合成樹脂で成る円筒状の基部３とで構成される。
【００１６】
上記基部３の中心に上下方向に貫通する挿通孔６が設けられており、この基部３を高さ方向に積み重ねて３本のハンガーアーム１を連結すると共に、上記した各基部３の挿通孔６に１本の軸１０を挿通させ、軸１０の両端を上記本体部４内に固定すると、これらハンガーアーム１は本体部４に回動自在に支持される。また、本体部４の裏面の扁平部には、ふきん掛けを台所の壁面や吊り戸棚の下等に取り付けるための粘着テープ９が設けられている。
【００１７】
ところで、Ｕ字形バー２の先端部分は斜め上向きに屈曲され、屈曲部分に先端部分を丸くし、且つ、上面中央部を膨出させた半楕円形の扁平キャップ５が嵌脱可能に装着されている。このキャップ５は、弾性を有し、且つ、摩擦抵抗の大きい軟質系のゴム材、例えば、熱可撓性エラストマーや天然ゴム等から構成されている。
【００１８】
また、図２、図３に示すように、このキャップ５の内部７に上記Ｕ字形バー２の先端部の内側と係合する係合突起８が突設されている。
この係合突起８は、キャップ内７の先端側壁部７ａに沿う円弧状に形成され、先端側壁部７ａとの間に略バー２の外径ｄに相当する隙間を持って配設されている、そして、キャップ５をハンガーアーム１の先端部に装着すると、この係合突起８と先端側壁部７ａとの隙間にＵ字形バー２の先端部分（Ｕ字部分）が係止されるようになっている。
【００１９】
また、係合突起８は、前面８ａ（バー２の挿入側の面）を傾斜させ、裏面８ｂを垂直とした断面形状台形と成され、且つ、この係合突起８により、キャップ内７の上面壁部７ｂとの間にバー２の外径寸法以下となる幅狭部１２が形成され、装着したキャップ５の抜け止めとなる。
【００２０】
上記構成のふきん掛けでは、ハンガーアーム１の先端に摩擦抵抗の大きい弾性素材で成るキャップ５が装着されるため、掛けたふきん等（図示せず）がこのキャップ５に触れると、その接触面の大きな摩擦抵抗により、ふきん等がずれたりハンガーアーム１より滑り落ちたりし難くなる。特に、エラストマーや天然ゴムは軟質で且つ摩擦抵抗も大きいことがら、ふきん等の滑り止めに優れた効果を発揮する。
また、キャップ５の弾性が奏する緩衝作用に加え、キャップ５の先端部が丸形状であるから、誤って顔等にハンガーアーム１の先端を突き当てても、怪我をする虞はない。
【００２１】
また、ハンガーアーム１の先端部分を斜め上向きに屈曲しているので、ふきん等に対する滑り止め効果がさらに向上し、ふきん等がずれたり落ちたりすることがより確実に防止できると共に、ハンガーアーム１の先端が顔等に付き当った時の衝撃力が弱められ、怪我に対する安全性がより向上する。
また、本実施形態のキャップ５は、上面中央部が膨出しているため、ふきん等の端がこの膨出部１１を乗り越えてハンガーアーム１の先端方向に大きくずれることが防止できる。
【００２２】
また、キャップ内７にＵ字形バー２の先端部の内側に係合する係合突起８を設けたので、一旦、キャップ５を装着すると不用意に抜け落ちることはなく、よって、長期の使用にあっても、常にキャップ５による滑り止め効果と安全性が継続、維持されることになる。
特に、本実施形態では、係合突起８の前面８ａを傾斜させ、且つ、裏面８ｂを垂直面とし、引き抜き側に狭幅部１１を有する構造としたので、キャップ５の装着は容易であり、且つ、抜け難い。
【図面の簡単な説明】
【００２３】
【図１】本発明に係るふきん掛けを示し、（ａ）は平面図、（ｂ）は側面図。
【図２】図１のＡ−Ａ断面図。
【図３】キャップの外観斜視図。
【符号の説明】
【００２４】
１  ハンガーアーム
２  Ｕ字形バー
３  基部
５  キャップ
８  係合突起 
【図１】
2007151800.tif 000003
【図２】
2007151800.tif 000004
【図３】
2007151800.tif 000005